(57)【要約】      （修正有）【課題】締付部材の過剰締め込みや締め込み不足を防止することができ、締め込み完了時の締付部材の角度位置を一定にすることができる防水パンの排水構造を提供する。【解決手段】防水パンに形成された排水用開口の周縁部に、排水トラップは締付部材により固定され、排水用開口に挿入される第１筒部と、排水用開口の周縁部の下面に沿う環状の受部とを有し、締付部材は排水トラップの第１筒部に挿入される第２筒部と、排水用開口の周縁部の上面に沿うフランジ部とを有している。締付部材が締め付け方向に回動すると、第１筒部の内周に形成されたガイド突起が、第２筒部の外周に形成された係合突起を案内することにより、締付部材が排水トラップに近づき、フランジ部と受部とで排水用開口の周縁部を挟持する。さらに、第１筒部には係止凸部が形成されており、この係止凸部に締付部材の係合突起が当たることにより、締付部材の締め付け方向への回動が禁じられる。【選択図】図４
2019138058.tif 000002
【特許請求の範囲】
【請求項１】
防水パンに形成された排水用開口と、上記防水パンの下方に配置された排水トラップと、上記排水トラップを上記排水用開口の周縁部に固定するための締付部材と、を備え、
上記排水トラップが、第１筒部と、上記第１筒部の外周から径方向外側に突出して上記排水用開口の周縁部の下面に沿う環状の受部とを有し、
上記締付部材が、上記排水トラップの上記第１筒部の内側に配置される第２筒部と、上記第２筒部の上端縁から径方向外側に突出して上記排水用開口の周縁部の上面に沿うフランジ部とを有し、
上記第１筒部の内周には、周方向に沿って延びるガイド突起が形成され、上記第２筒部の外周には係合突起が形成され、
上記締付部材が締め付け方向に回動すると、上記ガイド突起が上記係合突起を案内することにより、上記排水トラップに近づくようになっており、上記締付部材のフランジ部と上記排水トラップの受部とで上記排水用開口の周縁部を挟持することにより、上記排水トラップが上記排水用開口の周縁部に固定されており、
さらに、上記締付部材が上記排水トラップに対して設定された回動角度に達したときに、上記締付部材の上記締め付け方向への回動を禁じる回動制止手段を備えたことを特徴する防水パンの排水構造。
【請求項２】
上記回動制止手段が、上記ガイド突起における上記締め付け方向の終端から下方に突出する係止凸部を有し、上記係止凸部に上記締付部材の係合突起が当たることにより、上記締付部材の上記締め付け方向への回動が禁じられることを特徴とする請求項１に記載の防水パンの排水構造。
【請求項３】
上記締付部材の上記第２筒部の内周には、浴槽の排水口に装着される排水部品を位置決めするための位置決め部が形成されていることを特徴とする請求項１または２に記載の防水パンの排水構造。
【請求項４】
上記締付部材の上記フランジ部と上記防水パンの上記排水用開口の周縁部との間には、環状のパッキンが介在されていることを特徴とする請求項１〜３のいずれかに記載の防水パンの排水構造。
【請求項５】
上記防水パンが発泡体層と表皮層を有することを特徴とする請求項１〜４のいずれかに記載の防水パンの排水構造。
【発明の詳細な説明】
【技術分野】
【０００１】
本発明は、防水パンの排水構造に関し、特に排水トラップの固定に関する。
【背景技術】
【０００２】
防水パンには排水用開口が形成されており、この排水用開口からの水が、防水パンの下方に配置された排水トラップを経て、排水管へと送られるようになっている。
上記排水トラップを防水パンに固定するために、特許文献１に開示された排水構造では、締付部材を用いている。
【０００３】
特許文献１の排水構造を簡単に説明すると、排水トラップは、排水用開口に挿入される第１筒部と、第１筒部の外周から径方向外側に突出して排水用開口の周縁部の下面に沿う環状の受部とを有している。締付部材は、排水トラップの第１筒部の内側に配置される第２筒部と、第２筒部の上端縁から径方向外側に突出して排水用開口の周縁部の上面に沿うフランジ部とを有している。
【０００４】
上記第１筒部と上記第２筒部は螺合されており、締付部材を締め付け方向に回し、排水トラップの受部と締付部材のフランジ部とで排水用開口の周縁部を挟持することにより、排水トラップを防水パンに固定している。
【先行技術文献】
【特許文献】
【０００５】
【特許文献１】特開２０１４−１２９６９９号公報
【発明の概要】
【発明が解決しようとする課題】
【０００６】
特許文献１では、締め込み完了時の締付部材の角度位置が不安定である。また、作業者が未熟であると締付部材を過剰に締め込んだり締め込みが不足したりすることがある。その結果として生じる不都合を以下に例示する。
・締め込みが不足すると、排水トラップの防水パンへの固定が弱くなる。
・締め込みが過剰であると、排水用開口の周縁部、排水トラップの受部、締付部材のフランジ部のいずれかの変形を招く。特に防水パンが発泡体層と表示層を有する場合には、排水用開口の周縁部の変形の問題が生じる。
・締付部材のフランジ部と排水用開口の周縁部との間のパッキンは、締付部材の過剰締め込みにより捩じれると止水性能を発揮できない。また、締め込み不足によっても止水性能を発揮できない。
・防水パンに浴槽を設置する場合、締付部材は、浴槽のレリースワイヤガイド部材（排水部品）を所望の角度位置に位置決めする役割を担うことができない。
【課題を解決するための手段】
【０００７】
本発明は上記課題を解決するためになされたものであり、防水パンの排水構造において、防水パンに形成された排水用開口と、上記防水パンの下方に配置された排水トラップと、上記排水トラップを上記排水用開口の周縁部に固定するための締付部材と、を備え、
上記排水トラップが、第１筒部と、上記第１筒部の外周から径方向外側に突出して上記排水用開口の周縁部の下面に沿う環状の受部とを有し、上記締付部材が、上記排水トラップの上記第１筒部の内側に配置される第２筒部と、上記第２筒部の上端縁から径方向外側に突出して上記排水用開口の周縁部の上面に沿うフランジ部とを有し、上記第１筒部の内周には、周方向に沿って延びるガイド突起が形成され、上記第２筒部の外周には係合突起が形成され、上記締付部材が締め付け方向に回動すると、上記ガイド突起が上記係合突起を案内することにより、上記排水トラップに近づくようになっており、上記締付部材のフランジ部と上記排水トラップの受部とで上記排水用開口の周縁部を挟持することにより、上記排水トラップが上記排水用開口の周縁部に固定されており、さらに、上記締付部材が上記排水トラップに対して設定された回動角度に達したときに、上記締付部材の上記締め付け方向への回動を禁じる回動制止手段を備えたことを特徴する。
【０００８】
上記構成によれば、締付部材が設定回動角度に達したときに、締付部材の締め付け方向への回動を禁じるため、締付部材の過剰締め込みや締め込み不足を防止でき、排水トラップの最適な固定状態を得ることができる。また、締め込み完了時の締付部材の角度位置を一定にすることができる。
【０００９】
好ましくは、上記回動制止手段が、上記ガイド突起における上記締め付け方向の終端から下方に突出する係止凸部を有し、上記係止凸部に上記締付部材の係合突起が当たることにより、上記締付部材の上記締め付け方向への回動が禁じられる。
上記構成によれば、簡単な構成で、締付部材の設定回動位置からの回動を禁じることができる。
【００１０】
好ましくは、上記締付部材の上記第２筒部の内周には、浴槽の排水口に装着される排水部品を位置決めするための位置決め部が形成されている。
上記構成によれば、浴槽の排水部品を位置決めする必要がある場合に、締付部材の位置決め部により正確かつ簡単に位置決めすることができる。
【００１１】
好ましくは、上記締付部材の上記フランジ部と上記防水パンの上記排水用開口の周縁部との間には、環状のパッキンが介在されている。
上記構成によれば、締付部材の過剰締め込みによるパッキンの捩じを防止できるとともに、締め込み不足によるパッキンの圧縮不足を防止でき、良好な止水性能を確保することができる。
【００１２】
好ましくは、上記防水パンが発泡体層と表皮層を有する。
この構成によれば防水パンの軽量化を図ることができ、締付部材の過剰締め込みによる排水用開口の周縁部の変形を確実に防止することができる。
【発明の効果】
【００１３】
本発明によれば、締付部材の過剰締め込みや締め込み不足を防止することができ、排水トラップの最適な固定状態を得ることができる。また、締め込み完了時の締付部材の角度位置を一定にすることができる。
【図面の簡単な説明】
【００１４】
【図１】本発明の一実施形態に係る排水構造が設けられた浴槽側防水パンの斜視図である。
【図２】上記排水構造の拡大斜視図である。
【図３】上記排水構造の縦断面図である。
【図４】上記排水構造において、締付部材を用いて排水トラップを浴槽側防水パンに固定する直前の状態を示す図３相当図である。
【図５】上記締付部材と、浴槽の排水栓およびレリーフワイヤガイド部材を示す側面図である。
【図６】上記締付部材と排水栓とレリーフワイヤガイド部材を示す斜視図である。
【図７】（Ａ）、（Ｂ）は、上記締付部材の締め込む際の上記排水トラップのガイド突起と上記締付部材の係合突起の係合状態を、順を追って示す概略展開図である。
【発明を実施するための形態】
【００１５】
以下、本発明の一実施形態について、図面を参照しながら説明する。
図３に示すように、浴室には洗い場側防水パン５（防水パン）と浴槽側防水パン１０（防水パン）とが隣接して設置されている。浴槽側防水パン１０には浴槽（図示しない）が設置されている。
浴槽側防水パン１０は、樹脂の発泡体層１０ａとこの発泡体層１０ａの上面に積層された樹脂の表皮層１０ｂにより構成されている。
【００１６】
図１に示すように、浴槽側防水パン１０は平面長方形をなす底部１１と、底部１１の周縁部に形成された立ち上がり部１２とを有している。底部１１には洗い場側防水パン５寄りに排水構造Ｓが設けられている。以下、この排水構造Ｓについて詳述する。
【００１７】
図３、図４に示すように、排水構造Ｓは、浴槽側防水パン１０に形成された排水用開口１５を有している。排水用開口１５の周縁部は他の部位より薄肉をなしている。表皮層１０ｂは排水用開口１５の周縁部の上面を覆うとともに内周をも覆っている。
【００１８】
排水構造Ｓはさらに、それぞれ樹脂の射出成形品からなる浴槽側排水トラップ２０（以下、単に排水トラップと言う）と共通排水トラップ３０と締付部材４０とを備えている。
排水トラップ２０は、浴槽側防水パン１０の下方に配置されており、排水用開口１５に入り込む筒部２１（第１筒部）と、筒部２１の下端に連なる底部２２と、筒部２１の中間高さの外周に形成された環状の受部２３と、この受部２３から洗い場側に延びた延出部２４とを有している。受部２３は排水用開口１５の周縁部の下面に沿って配置されている。
【００１９】
排水トラップ２０の底部２２には、中央に主排水口２２ａが形成され、その横にスリット形状の複数の副排水口２２ｂが形成されている。底部２２には主排水口２２ａの周縁から下方に突出する連結筒部２５が形成されている。連結筒部２５の内周には環状の段差２５ａが形成されている。
【００２０】
上記排水トラップ２０と、洗い場側防水パン５の排水構造の排水トラップ６（一部のみ示す）の下側に、上記共通排水トラップ３０が取り付けられている。
浴槽の湯水は、後述のレリーフワイヤガイド部材６０（排水部品）および主排水口２２ａを経て共通排水トラップ３０で受け止められ、浴槽側防水パン１の底部１１の湯水は副排水口２２ｂを経て共通排水トラップ３０で受け止められる。また、洗い場側防水パン５の湯水は排水トラップ６を経て共通排水トラップ３０で受け止められる。共通排水トラップ３０で受け止められた湯水は出口部（図示しない）から排水管へと排出される。
【００２１】
図４に示すように、排水トラップ２０の筒部２１の内周には、複数（本実施形態では２つ）のガイド突起２８が周方向に間隔をおいて形成されている。ガイド突起２８は、周方向に延び、締付部材４０の締め付け方向に向かって順に連続して配置された第１平行部２８ａと傾斜部２８ｂと第２平行部２８ｃとを有している。
【００２２】
第１平行部２８ａと第２平行部２８ｃは、筒部２１の軸線と直交する２つの平面上にそれぞれ配置されており、第１平行部２８ａが底部２２から遠く、第２平行部２８ｃが底部２２に近い。第１平行部２８ａと第２平行部２８ｃとを繋ぐ傾斜部２８ｂは、締め付け方向に向かって下方に進むように筒部２１の軸線に対して傾斜しており、螺旋を描いている。
【００２３】
第１平行部２８ａの上記締め付け方向の始端部（傾斜部２８ｂから離れた端部）の下面は傾斜している。第２平行部２８ｃの終端部（傾斜部２８ｂから離れた端部）には、下方に突出する係止凸部２９（回動規制手段）が形成されている。
【００２４】
図３、図４に示すように、締付部材４０は、上記排水トラップ２０の筒部２１の内側に入り込む筒部４１（第２筒部）と、この筒部４１の上端から径方向外側に突出する環状のフランジ部４２とを有している。筒部４１の外周にはフランジ部４２の近傍にＯリング５１が装着されている。また、フランジ部４２の下側には環状のパッキン５２が支持されている。
【００２５】
締付部材４０の筒部４１の下部外周には、２つの係合突起４８が周方向に間隔をおいて形成されている。各係合突起４８は、締め付け方向に沿って間隔をおいて順に形成された第１係合部４８ａと第２係合部４８ｃを有している。これら第１係合部４８ａと第２係合部４８ｃは、周方向に延び、筒部４１の軸線と直交する２つの平面上にそれぞれ配置されている。第１係合部４８ａは筒部４１の下端から遠く、第２係合部４８ｃは筒部４１の下端に近い。第１係合部４８ａと第２係合部４８ｃの先端部の上面は傾斜している。
【００２６】
図２、図６に示すように、締付部材４０の筒部４１の内周には、軸方向に延びる複数例えば４つの位置決め溝４５（位置決め部）が、周方向に等角度間隔で形成されている。これら位置決め溝４５のうちの選択された１つは、浴槽に装着される後述のレリーフワイヤガイド部材６０（排水部品）を位置決めするために用いられる。
【００２７】
図４に示すように締付部材４０を下降させ、その筒部４１を排水トラップ２０の筒部２１に挿入して、締め付け方向に回すことにより、係合突起４８はガイド突起２８に案内され、これにより締付部材４０が排水トラップ２０に向かって下方に移動する。その結果、排水トラップ２０の受部２３と締付部材４０のフランジ部４２により、浴槽側防水パン１０の排水用開口１５の周縁部が狭圧され、排水トラップ２０が浴槽側防水パン１０に固定される。この狭圧状態で、パッキン５２が圧縮されて止水機能を発揮する。
【００２８】
上記ガイド突起２８による係合突起４８の案内作用について、図７を参照しながら詳述する。締付部材４０を排水トラップ２０に近づけると、係合突起４８がガイド突起２８に当たる。この状態で締付部材４０を締め付け方向（図７（Ａ）において矢印で示す方向）に回すと、各係合突起４８の第１係合部４８ａと第２係合部４８ｃが、一方のガイド突起２８の第１平行部２８ａと第２係合部４８ｃにそれぞれ乗る。この状態で、係合突起４８の第２係合部４８ｃの先端が、他方のガイド突起４８の始端部（第１平行部４８ａにおいて傾斜部４８ｂから離れた端部）に近づく（図７（Ａ）参照）。
【００２９】
さらに締付部材４０を締め付け方向に回すと、第２係合部４８ｃの先端部が第１平行部２８ａの下面に沿って傾斜部２８ｂに向かい、この傾斜部２８ｂの案内作用により、第２平行部２８ｂの下面に移る。この際、第１係合部４８ａも第１平行部４８ａの下側に入り込む。この過程で、締付部材４０が下方に移動し、パッキン５２を圧縮状態にする。
【００３０】
さらに締付部材４０を締め付け方向に回すと、第１係合部４８ａと第２係合部４８ｃは、パッキン５２の弾性力を受けて第１平行部２８ａと第２平行部２８ｃの下面にそれぞれ接しながら移動し、やがて図７（Ｂ）に示すように、第２係合部４８ｃの先端が係止凸部２９に当たり、締付部材４０の締め付け方向への回動が禁じられる。
【００３１】
上記のように、締付部材４０は、第２係合部４８ｃが係止凸部２９に当たるまでの締め付け方向に回動するので、締め込み不足になるのを回避でき、排水トラップ２０を浴槽側防水パン１０の排水用開口１５の周縁部に強固に固定することができる。また、パッキン５２を最適の圧縮状態にすることができ、良好な止水機能を発揮することができる。
【００３２】
上記のように係止凸部２９により締付部材４０の締め付け方向の回動を規制するので、締付部材４０の締め込み完了時の角度位置は、浴槽側防水パン１０および排水トラップ２０に対して常に一定にすることができ、作業者によって異ならない。そのため、締付部材４０の４つの位置決め溝４５は、常に浴槽側防水パン１０と排水トラップ２０に対して予め設定された角度位置に配置することができる。その結果、締付部材４０はレリーフワイヤガイド部材６０（排水部品）を位置決めする役割を担うことができる。以下、詳述する。
【００３３】
本実施形態では、図５，図６に示すように、締付部材４０にレリーフワイヤガイド部材６０が連結される。このガイド部材６０は、内周に雌ネジを有する螺合筒６１と、螺合筒６１の上端に形成された鍔部６２と、螺合筒６１の外周から斜め上方に突出するガイド筒部６３と、螺合筒６１の下端に連なる取付部６４とを有している。ガイド筒部６３には、下方に突出する係合リブ６５（係合部）が形成されている。
【００３４】
上記レリーフワイヤガイド部材６０の係合リブ６５を、締付部材４０の選択された位置決め溝４５に嵌め、取付部６４を締付部材４０の連結筒部２５に押し込み、取付部６４の爪６４ａを連結筒部２５の段差２５ａに引っ掛けることにより、レリーフワイヤガイド部材６０が締付部材４０に連結される。係合リブ６５が位置決め溝４５に係合されることにより、レリーフワイヤガイド部材６０のガイド筒部６３は、確実に設定された方向を向くように配置される。
【００３５】
浴槽側防水パン１０に浴槽が設置される際、浴槽の排水口が締付部材４０の円柱状空間の上方に位置するとともに上記ガイド部材６０の上方に位置するように、浴槽が位置決めされる。この状態で、ポップアップ排水栓７０が浴槽の排水口に取り付けられる。この排水栓７０は、外周に雄ネジが形成された螺合筒７１と、螺合筒７１の上端に形成された鍔部７２と、螺合筒７１の内部に収容されレリーフワイヤにより開閉される弁体（図示しない）を有している。排水栓７０の螺合筒７１をレリーフワイヤガイド部材６０の螺合筒６１にねじ込むことにより、排水栓７０の鍔部７２とレリーフワイヤガイド部材６０の鍔部６２が浴槽の排水口周縁部を挟持し、これによりガイド部材６０と排水栓７０が浴槽に固定される。この螺合作業時に、レリーフワイヤガイド部材６０は締付部材４０の位置決め溝４５により回動を禁じられており、排水栓７０と供回りすることはない。
【００３６】
排水栓７０の弁体に接続されたレリーフワイヤは、ガイド筒部６３を通り、ガイド筒部６３に接続されたガイドチューブを通り、操作部（いずれも図示せず）に接続されている。ガイド筒部６３が設定された角度位置を向いているので、このガイド筒部６３やガイドチューブが浴槽と干渉することはない。
【００３７】
本発明は、上記実施形態に限定されるものではなく、種々の形態を採用することが可能である。
排水トラップの筒部の内周にガイド突起を螺旋状に形成して雌ネジとし、締付部材の筒部の外周に係合突起を螺旋状に形成して雄ネジとしてもよい。この場合、ガイド突起は全長にわたって軸線に対して傾斜している。このような螺合関係では、一般的に締付部材の締め込み不足の他に過剰締め込みの問題も生じる。しかし、本発明では回動規制手段により締め込み不足は勿論のこと過剰締め込みも防止できるので、過剰締め込みによりパッキン５２が捩れて止水機能が低下したり、防水パンの排水用開口の周縁部や、排水トラップの受部や締付部材のフランジ部が変形したりするのを防止できる。特に本実施形態のように防水パンが発泡体層と表皮層を有する場合であっても、その変形を防止できる。
【００３８】
防水パンは発泡体層と表皮層を有さず、ＦＲＰ等の硬質材料であってもよい。
回動規制手段は、排水トラップの第１筒部においてガイド突起から離れた係止凸部であってもよい。この場合、締付部材の第２筒部の突起（係合突起とは別の突起）が係止凸部に当たることにより、締付部材の締め付け方向の回動が禁じられる。
【００３９】
容易に推測できるので図示しないが、締付部材の筒部内周に位置決め部としての位置決めリブを形成し、排水部品にこの位置決めリブに嵌る係合溝を形成してもよい。
排水トラップの第１筒部は、防水パンの排水用開口に挿入されずに、その下側に配置されていてもよい。
上記実施形態では本発明を浴槽側防水パンに適用したが、洗い場側防水パンに本発明を適用してもよいし、シャワーのみが可能な浴室（シャワー室）の防水パンに適用してもよい。
【産業上の利用可能性】
【００４０】
本発明は、防水パンの排水構造に適用可能である。
【符号の説明】
【００４１】
Ｓ  排水構造
１０  浴槽側防水パン（防水パン）
１５  排水用開口
２０  浴槽側排水トラップ（排水トラップ）
２１  筒部（第１筒部）
２３  受部
２８  ガイド突起
２９  係止凸部（回動規制手段）
４０  締付部材
４１  筒部（第２筒部）
４２  フランジ部
４５  位置決め溝（位置決め部）
４８  係合突起
５２  パッキン
６０  レリーフワイヤ用ガイド部材（排水部品）
【図１】
2019138058.tif 000003
【図２】
2019138058.tif 000004
【図３】
2019138058.tif 000005
【図４】
2019138058.tif 000006
【図５】
2019138058.tif 000007
【図６】
2019138058.tif 000008
【図７】
2019138058.tif 000009